(57)【要約】【課題】宗派毎に決められた形態を維持しつつ、法具として適度な装飾が施された数珠を提供する。【解決手段】数珠の親珠から吊り下げられる数珠用房において、親珠に吊り下げられる吊下紐の先端から一対の結紐を二股状に伸ばし、複数の装飾糸束を両結紐間に跨るように配置し、複数の装飾糸束の両結紐間を跨ぐ中央部を略球体状に束ねた状態で吊下紐の先端側に縛り付け、両結紐を複数の装飾糸束の略球体状に束ねられた中央部に掛け渡した状態で吊下紐の先端側に縛り付け、複数の装飾糸束を色彩の異なる装飾糸を束ねてなる少なくとも二つの装飾糸束によって構成し、各装飾糸束を吊下紐の先端から延長方向に向かって順番に積層し、各装飾糸束を構成する装飾糸を吊下紐の延長方向に垂らした状態において吊下紐の先端側に積層された装飾糸束を構成する装飾糸ほど外方に配置する。【選択図】  図１４
2014221094.tif 000002
【特許請求の範囲】
【請求項１】
数珠の親珠から吊り下げられる数珠用房体であって、親珠に吊り下げられる吊下紐の先端から一対の結紐が二股状に伸びており、複数の装飾糸束が両結紐間を跨ぐように配置されており、複数の装飾糸束が両結紐間を跨ぐ中央部を略球体状に束ねた状態で吊下紐の先端側に縛り付けられており、両結紐が複数の装飾糸束の略球体状に束ねられた中央部に掛け渡した状態で吊下紐の先端側に縛り付けられており、複数の装飾糸束が色彩の異なる装飾糸を束ねてなる少なくとも二つの装飾糸束を有しており、各装飾糸束が吊下紐の先端から延長方向に向かって順番に積層されており、各装飾糸束を構成する装飾糸を吊下紐の延長方向に垂らした状態において吊下紐の先端側に積層された装飾糸束を構成する装飾糸ほど外方に配置されることを特徴とする数珠用房体。
【請求項２】
吊下紐の最も先端側に積層された装飾糸束以外の他の装飾糸束が吊下紐の先端側で隣接する装飾糸束を被覆するように装飾糸を配置した状態で吊下紐の先端に縛り付けられている請求項１又は２のいずれかに記載の数珠用房体。
【請求項３】
吊下紐の最も先端側に積層された装飾糸束を構成する装飾糸が該装飾糸束以外の他の装飾糸束を構成する装飾糸よりも太い請求項１又は２のいずれかに記載の数珠用房体。
【請求項４】
前記請求項１乃至３のいずれかの数珠用房体を取り付けられた数珠。
【発明の詳細な説明】
【技術分野】
【０００１】
本発明は、数珠用房体及び該数珠用房体を取り付けた数珠に関するものである。
【背景技術】
【０００２】
周知のとおり、数珠は、宗派毎に僅かに形態が異なっているが、いずれの宗派のものであっても、多数の主珠と少数の親珠とに中通し紐を通して各珠を環状に連ねると共に、親珠から房体を垂らした形態を基本としている。
【０００３】
そして、従来においては、前記基本形態を維持しつつ数珠の装飾性を向上させるため、例えば、珠の素材として翡翠や黒檀などの装飾性に優れたものを採用したり、房を構成する装飾糸として鮮やかな色彩のものを採用していたが、近年においては、数珠がファッションアイテムの一つとして使用されるようになり、更に装飾性を向上させた数珠が数多く考案されている。
【０００４】
例えば、特許文献１には、数珠の下げ紐の先端に房と共に装飾玉を取り付けた数珠が開示されている。
【先行技術文献】
【特許文献】
【０００５】
【特許文献１】実開昭５９−１５４１１８号公報
【発明の概要】
【発明が解決しようとする課題】
【０００６】
しかし、前記特許文献１に開示された数珠のように過度な装飾が施されたものは、仏事・法要の際に使用するためのものとしては派手過ぎ、また、宗派毎に決められた形態から大きく逸脱するため、法具として適切なものではなかった。
【０００７】
さらに、前記特許文献１に開示された数珠には、房と共に装飾玉が取り付けられているため、房を垂らした際に、房を構成する装飾糸が装飾玉に沿って湾曲してしまうため、房を垂らした姿が不恰好になるという問題点があった。
【０００８】
そこで、本発明者は、宗派毎に決められた形態を維持しつつ、法具として適度な装飾が施された数珠を得ることを技術的課題として、その具現化をはかるべく、試行錯誤的に試作・実験を重ねた結果、数珠の親珠から吊り下げられる数珠用房体において、親珠に吊り下げられる吊下紐の先端から一対の結紐を二股状に伸ばし、複数の装飾糸束を両結紐間に跨るように配置し、複数の装飾糸束の両結紐間を跨ぐ中央部を略球体状に束ねた状態で吊下紐の先端側に縛り付け、両結紐を複数の装飾糸束の略球体状に束ねられた中央部に掛け渡した状態で吊下紐の先端側に縛り付け、複数の装飾糸束を色彩の異なる装飾糸を束ねてなる少なくとも二つの装飾糸束によって構成し、各装飾糸束を吊下紐の先端から延長方向に向かって順番に積層し、各装飾糸束を構成する装飾糸を吊下紐の延長方向に垂らした状態において吊下紐の先端側に積層された装飾糸束を構成する装飾糸ほど外方に配置すれば、宗派毎に決められた形態を維持しつつ、法具として適度な装飾が施された数珠を得ることができるという刮目すべき知見を得、前記技術的課題を達成したものである。
【課題を解決するための手段】
【０００９】
前記技術的課題は、次の通りの本発明によって解決できる。
【００１０】
すなわち、本発明に係る数珠用房体は、数珠の親珠から吊り下げられる数珠用房体であって、親珠に吊り下げられる吊下紐の先端から一対の結紐が二股状に伸びており、複数の装飾糸束が両結紐間を跨ぐように配置されており、複数の装飾糸束が両結紐間を跨ぐ中央部を略球体状に束ねた状態で吊下紐の先端側に縛り付けられており、両結紐が複数の装飾糸束の略球体状に束ねられた中央部に掛け渡した状態で吊下紐の先端側に縛り付けられており、複数の装飾糸束が色彩の異なる装飾糸を束ねてなる少なくとも二つの装飾糸束を有しており、各装飾糸束が吊下紐の先端から延長方向に向かって順番に積層されており、各装飾糸束を構成する装飾糸を吊下紐の延長方向に垂らした状態において吊下紐の先端側に積層された装飾糸束を構成する装飾糸ほど外方に配置されるものである。
【００１１】
また、本発明は、前記数珠用房体において、吊下紐の最も先端側に積層された装飾糸束以外の他の装飾糸束が吊下紐の先端側で隣接する装飾糸束を被覆するように装飾糸を配置した状態で吊下紐の先端に縛り付けられているものである。
【００１２】
また、本発明は、前記いずれかの数珠用房体において、吊下紐の最も先端側に積層された装飾糸束を構成する装飾糸が該装飾糸束以外の他の装飾糸束を構成する装飾糸よりも太いものである。
【００１３】
また、本発明に係る数珠は、前記いずれかの数珠用房体を取り付けたものである。
【発明の効果】
【００１４】
本発明によれば、数珠の親珠から吊り下げられる数珠用房体において、複数の装飾糸束が色彩の異なる装飾糸を束ねてなる少なくとも二つの装飾糸束を有しており、各装飾糸束が吊下紐の先端から延長方向に向かって順番に積層されており、各装飾糸束を構成する装飾糸を吊下紐の延長方向に垂らした状態において吊下紐の先端側に積層された装飾糸束を構成する装飾糸ほど外方に配置される構成を採用したので、各装飾糸束を構成する装飾糸を吊下紐の延長方向に垂らした状態で、数珠用房体を静止させると、吊下紐の最も先端側に積層された装飾糸束以外の他の装飾糸束を構成する装飾糸が吊下紐の最も先端側に積層された装飾糸束を構成する装飾糸によって隠れた状態となり、また、数珠用房体を揺れ動かすと、他の装飾糸束を構成する装飾糸が吊下紐の最も先端側に積層された装飾糸束を構成する装飾糸から見え隠れするため、非常に趣きのある装飾効果を得ることができる。また、吊下紐の最も先端側に積層された装飾糸束を構成する装飾糸を該装飾糸束以外の他の装飾糸束を構成する装飾糸よりも太くすることにより、数珠用房を揺れ動かした後、他の装飾糸束を構成する装飾糸が吊下紐の最も先端側に積層された装飾糸束を構成する装飾糸の内方へと戻り易くなる。
【００１５】
従って、本発明の産業上利用性は非常に高いといえる。
【図面の簡単な説明】
【００１６】
【図１】本実施の形態１に係る数珠を示した正面図である。
【図２】図１に示す房の製作工程を説明するための斜視図である。
【図３】図１に示す房の製作工程を説明するための斜視図である。
【図４】図１に示す房の製作工程を説明するための部分斜視図である。
【図５】図４に示す製作中の房を示した断面図である。
【図６】図１に示す房の製作工程を説明するための斜視図である。
【図７】図１に示す房の製作工程を説明するための部分斜視図である。
【図８】図７に示す製作中の房を示した断面図である。
【図９】図１に示す房の製作工程を説明するための部分斜視図である。
【図１０】図９に示す製作中の房を示した断面図である。
【図１１】図１に示す房の製作工程を説明するための部分斜視図である。
【図１２】図１１に示す製作中の房を示した底面図である。
【図１３】図１１に示す製作中の房を示した断面図である。
【図１４】図１に示す数珠の房を示した部分断面図である。
【発明を実施するための形態】
【００１７】
以下、本発明の実施の形態を説明する。
【００１８】
実施の形態．
【００１９】
本実施の形態に係る数珠１は、図１に示すように、複数の主珠２と二つの親珠３，４とを環状に連ねてなる本体５と、本体５を構成する一方の親珠３から吊下げられる一対の房体６，６と、本体５を構成する他方の親珠４から吊り下げられる一対の房体７，７から構成されており、親珠３，４は、主珠１よりも大径に形成されている。
【００２０】
本体５は、複数の主珠２及び二つの親珠３に中通し紐８を通して各珠２，３，４を連ねることによって環状に形成されている。具体的には、主珠２には、中心から二方向へ伸びる直線状の貫通孔９が形成されており、親珠３，４には、中心から三方向へ伸びるＴ字状の貫通孔１０が形成されている。そして、各珠２，３，４が円状に連なり、かつ、両親珠３，４が円の中心に対して点対称に位置付けるように、主珠２に形成された貫通孔９及び両親珠３，４に形成された対向する開孔１１，１２を繋ぐ貫通孔１０にそれぞれ中通し紐８を通して各珠２，３，４を連ねている。そして、一方の親珠３に形成された対向する開孔１１，１２を繋ぐ貫通孔１０から残った開孔１３へ伸びる貫通孔１０へ中通し紐８の一部がU字状に引き出されていると共に、他方の親珠４に形成された対向する開孔１１，１２を繋ぐ貫通孔１０から残った開孔１３へ伸びる貫通孔１０へ中通し紐８の両端が引き出されている。
【００２１】
各房体６，６，７，７は、いずれも本体５の親珠３，４から引き出された中通し紐８に連結される吊下紐１４，１５と、吊下紐１４，１５の下端から垂れ下がる複数の装飾糸を束ねた房１６，１７とから構成されている。
【００２２】
そして、一方の親珠３から吊下げられる一対の房体６，６は、いずれも房１６から伸びる吊下紐１４の上端を結んで形成した環部１８を一方の親珠３から引き出された中通し紐８に鎖状に繋げることによって本体５に連結されている。なお、一対の房体６，６を構成する吊下紐１４は、房１６側から伸びる二本の組糸を僅かに編組し、残った組糸に複数の装飾珠１９を通した構成になっている。
【００２３】
また、他方の親珠４から吊下げられる一対の房体７，７は、いずれも房１７から伸びる吊下紐１５の上端を他方の親珠４から引き出された中通し紐８の両端と一緒に編組することによって本体５に連結されている。なお、一対の房体７，７を構成する吊下紐１５は、房１７側から伸びる二本の組糸を編組した構成になっている。
【００２４】
次に、本実施の形態に係る房体７の製作工程を図２〜図１２に基づいて説明する。
【００２５】
先ず、図２に示すように、二本の組糸２０，２１を所定長さ編組して吊下紐１５を形成し、二本の組糸２０，２１の編組されていない部分を吊下紐１５の先端から二股状に伸ばして結紐２２とする。
【００２６】
次に、図３に示すように、複数の装飾糸２３を揃えて中央を縛糸２４によって縛って形成された第一装飾糸束２５を吊下紐１５の先端から二股状に伸びる両結紐２２間に跨るように配置する。そして、図４及び図５に示すように、第一装飾糸束２５を両結紐２２間に跨る中央部２６で折り曲げ、第一装飾糸束２５を構成する装飾糸２３を吊下紐１５の周囲を囲むように広げる。
【００２７】
次に、図６に示すように、第一装飾糸束２５を構成する装飾糸２３と異なる色彩を有する複数の装飾糸２７を揃えて中央を縛糸２８によって縛って形成された第二装飾糸束２９を吊下紐１５の先端から二股状に伸びる両結紐２２間に跨るように配置する。この時、第二装飾糸束２９は、吊下紐１５の先端から該吊下紐１５の延長方向に向かって第一装飾糸束２５、第二装飾糸束２９の順番で積層される。従って、第二装飾糸束２９よりも第一装飾糸束２５の方が吊下紐１５の先端に対して近くに配置される。そして、図７及び図８に示すように、第二装飾糸束２９を両結紐２２間に跨る中央部３０で折り曲げ、第二装飾糸束２９の中央部３０に対して両側に位置する装飾糸２７を略扇状に広げるように配置し、これにより、第二装飾糸束２９を構成する装飾糸２７によって第一装飾糸束２５を被覆する。
【００２８】
次に、図９及び図１０に示すように、両装飾糸束２５，２９の折り曲げられた中央部２６，３０を吊下紐１５の先端部分に縛止糸３１によって縛り付けることにより、両装飾糸束２５，２９の中央部２６，３０によって略球体状の芯３２を形成し、芯３２によって吊下紐１５の先端部分が隠れた状態となる。また、芯３２には、両装飾糸束２５，２９の中央部２６，３０に対して両側に位置する装飾糸２３，２７の隙間から両結紐２２が飛び出した状態になっている。
【００２９】
次に、図１１、図１２及び図１３に示すように、両結紐２２を芯３２における吊下紐１５の延長線上に位置する頂点で互いに引っ掛けて交差させることにより、芯３２に対して両結紐２２を十字状に掛け渡す（図１２参照）。そして、両結紐２２の芯３２に対して十字状に掛け渡された部分以外の残部を第二装飾糸束２９に沿うように伸ばし、両結紐２２を両装飾糸束２５，２９と同様に縛止糸３３によって吊下紐１５の先端部分に縛り付ける。
【００３０】
最後に、図１４に示すように、吊下紐１５の先端部分に縛り付けられた両装飾糸束２５，２９を構成する装飾糸２３，２７及び両結紐２２を吊下紐１５の延長方向へ垂らして房１７を形成することによって房体７が完成する。なお、房１７を構成する糸は、第一装飾糸束２５を構成する装飾糸２３、第二装飾糸束２９を構成する装飾糸２７、両結紐２２の順番で外側から内側に向かって配置されている。即ち、吊下紐１５の先端側に積層されたものほど房１７の外側に配置されるようになっている。
【００３１】
房体６も前記房体７と同様の製作工程を経ることによって作製することができる。
【００３２】
なお、第一装飾糸束を構成する装飾糸は、第二装飾糸束を構成する装飾糸よりも太い装飾糸が採用されている。これにより、両装飾糸束を構成する装飾糸を吊下紐の延長方向へ垂らした際に、外側に配置される第一装飾糸束を構成する装飾糸が房の内側に配置される第二装飾糸束を構成する装飾糸よりも太くなるため、数珠を揺らして第二装飾糸束を構成する装飾糸が房の外側に飛び出したとしても、数珠を静止させることで、房の外側に飛び出した第二装飾糸を構成する装飾糸が元の状態（内側に配置された状態）に戻り易くなる。
【００３３】
また、両装飾糸束を構成する装飾糸としては、絹糸や合成繊維を撚り合わせた撚糸を使用すればよい。吊下紐を構成する組糸としては、絹糸や合成繊維を撚り合わせた撚糸を数本束ねたものや絹糸や合成繊維を撚り合わせることなく揃えたものを使用すればよい。なお、結紐は、両装飾糸束を構成する装飾糸と同様に房を構成するため、絹糸や合成繊維を撚り合わせた撚糸を使用することが好ましい。
【００３４】
また、吊下紐を構成する組糸の先端部分を結紐として使用してもよく、また、吊下紐を構成する組糸に対して結紐として使用する組糸を編み込んだものを使用してもよい。
【００３５】
さらに、前記実施の形態においては、装飾糸束を二束積層しているが、これに限定されることなく、装飾糸束を三束以上積層してもよい。この場合には、各装飾糸束を構成する装飾糸は、吊下紐の先端に対して最も近くに積層される装飾糸束を構成する装飾糸が他の装飾糸束を構成する装飾糸よりも太いものを採用することが好ましい。また、他の装飾糸を構成する装飾糸は、吊下紐の先端に対して近くに積層される装飾糸束を構成する装飾糸ほど太い装飾糸を採用することが好ましい。
【００３６】
また、前記実施の形態においては、本体とは別に形成された房体を該本体に対して取り付けた構成を採用しているが、親珠から引き出される中通し紐を長尺にすることにより、中通し紐によって吊下紐を形成してもよい。
【符号の説明】
【００３７】
１  数珠
２  主珠
３，４  親珠
５  本体
６，７  房体
８  中通し紐
９  貫通孔
１０  貫通孔
１１，１２，１３  開孔
１４，１５  吊下紐
１６，１７  房
１８  環部
１９  装飾珠
２０，２１  組糸
２２  結紐
２３  装飾糸
２４  縛糸
２５  第一装飾糸束
２６  中央部
２７  装飾糸
２８  縛糸
２９  第二装飾糸束
３０  中央部
３１  縛止糸
３２  芯
３３  縛止糸
【図１】
2014221094.tif 000003
【図２】
2014221094.tif 000004
【図３】
2014221094.tif 000005
【図４】
2014221094.tif 000006
【図５】
2014221094.tif 000007
【図６】
2014221094.tif 000008
【図７】
2014221094.tif 000009
【図８】
2014221094.tif 000010
【図９】
2014221094.tif 000011
【図１０】
2014221094.tif 000012
【図１１】
2014221094.tif 000013
【図１２】
2014221094.tif 000014
【図１３】
2014221094.tif 000015
【図１４】
2014221094.tif 000016